(57)【特許請求の範囲】
【請求項１】
人工毛髪又は人毛が植毛されるかつらベースと、
前記かつらベースの周縁に配置された形状保持性の線状部材と、
を備え、
前記線状部材は、前記かつらベースの前記周縁からループ状に突出する凸部を有し、
前記線状部材の前記凸部及び該凸部のループ内から引き出された自毛のうち少なくとも一方に固定される毛束ユニットを更に備える、
ことを特徴とするかつら。
【請求項２】
前記凸部は、前記かつらベースの前記周縁から人の頭皮に沿った方向にループ状に突出することを特徴とする請求項１記載のかつら。
【請求項３】
前記凸部は、前記かつらベースの前記周縁から略矩形又は略台形のループ状に突出することを特徴とする請求項１又は請求項２記載のかつら。
【請求項４】
前記線状部材は、互いに間隔を隔てて位置する複数の前記凸部を有することを特徴とする請求項１から請求項３のいずれか１項記載のかつら。
【請求項５】
前記毛束ユニットは、毛束と、該毛束が固定されるシート状のベース部と、を有し、
前記ベース部は、前記凸部のループ内から引き出された前記自毛及び引き出されていない自毛を挟み込むように配置される、
ことを特徴とする請求項１から請求項４のいずれか１項記載のかつら。
【請求項６】
前記ベース部は、前記凸部並びに該凸部のループ内から引き出された前記自毛及び引き出されていない前記自毛を挟み込むように配置されることを特徴とする請求項５記載のかつら。
【請求項７】
前記毛束ユニットは、毛束と、該毛束が固定されるシート状のベース部と、を有し、
前記ベース部は、前記凸部及び該凸部のループ内から引き出された前記自毛を挟み込むように配置される、
ことを特徴とする請求項１から請求項４のいずれか１項記載のかつら。
【発明の詳細な説明】
【技術分野】
【０００１】
本発明は、人の頭部の全体又は一部に装着されるかつらに関する。
【背景技術】
【０００２】
従来、かつらを人の頭部に取り付ける際に用いる手法としては、かつらの底面を人の頭部に接着する手法、かつらに人の自毛を結びつける手法、かつら取付け具を用いる手法等が知られている（例えば、特許文献１〜４参照）。
【０００３】
上記特許文献１には、かつらの周縁に沿って設けられた固定用糸に自毛を結び付け、その結び目を光硬化性樹脂により固定する手法が記載されている。
【先行技術文献】
【特許文献】
【０００４】
【特許文献１】特開２０１０−５３４８９号公報
【特許文献２】特表２００９−５４１６０５号公報
【特許文献３】実開平２−１０４２４号公報
【特許文献４】特許第３９５０４８５号公報
【発明の概要】
【発明が解決しようとする課題】
【０００５】
上記特許文献１記載の手法では、例えばカギ針により固定用糸を引っ掛けて弛ませる必要があるため、弛み具合がかつらの位置ごと或いは施術者ごとにばらつく。これにより、弛ませた固定用糸のループから引き出される自毛の量もばらつく。また、固定用糸を弛ませた状態で自毛の引き出しや結着を行う作業は容易なものではない。
【０００６】
したがって、固定用糸を弛ませる作業は、熟練を要すると共に、かつらの取り付け作業を手間のかかるものにしていた。
本発明の課題は、かつらの取り付け作業性を向上させることができるかつらを提供することである。
【課題を解決するための手段】
【０００７】
本発明のかつらは、人工毛髪又は人毛が植毛されるかつらベースと、このかつらベースの周縁に配置された形状保持性の線状部材と、を備え、上記線状部材は、上記かつらベースの上記周縁からループ状に突出する凸部を有する構成とする。
【０００８】
好ましくは、上記凸部は、上記かつらベースの上記周縁から人の頭皮に沿った方向にループ状に突出する構成とする。
好ましくは、上記凸部は、上記かつらベースの上記周縁から略矩形又は略台形のループ状に突出する構成とする。
【０００９】
好ましくは、上記かつらベースの上記周縁に沿った上記凸部の幅は、上記かつらベースの上記周縁からの上記凸部の突出長さよりも長い構成とする。
好ましくは、上記線状部材は、互いに間隔を隔てて位置する複数の上記凸部を有する構成とする。
【００１０】
好ましくは、上記線状部材の上記凸部及びこの凸部のループ内から引き出された自毛のうち少なくとも一方に固定される毛束ユニットを更に備える構成とする。
好ましくは、上記毛束ユニットは、毛束と、この毛束が固定されるシート状のベース部と、を有し、上記ベース部は、上記凸部のループ内から引き出された上記自毛及び引き出されていない自毛を挟み込むように配置される構成とする。
【００１１】
好ましくは、上記ベース部は、上記凸部並びにこの凸部のループ内から引き出された上記自毛及び引き出されていない上記自毛を挟み込むように配置される構成とする。
好ましくは、上記毛束ユニットは、毛束と、この毛束が固定されるシート状のベース部と、を有し、上記ベース部は、上記凸部及びこの凸部のループ内から引き出された上記自毛を挟み込むように配置される構成とする。
【発明の効果】
【００１２】
本発明によれば、かつらの取り付け作業性を向上させることができる。
【図面の簡単な説明】
【００１３】
【図１】本発明の一実施の形態に係るかつら（頭部への装着前）を示す平面図である。
【図２】本発明の一実施の形態に係るかつらの毛束ユニットを示す斜視図である。
【図３】本発明の一実施の形態に係るかつらの取り付けに用いられる自毛引き出し用針を示す斜視図である。
【図４Ａ】本発明の一実施の形態に係るかつらの取り付けを説明するための説明図（その１）である。
【図４Ｂ】本発明の一実施の形態に係るかつらの取り付けを説明するための説明図（その２）である。
【図４Ｃ】本発明の一実施の形態に係るかつらの取り付けを説明するための説明図（その３）である。
【図４Ｄ】本発明の一実施の形態に係るかつらの取り付けを説明するための説明図（その４）である。
【図４Ｅ】本発明の一実施の形態に係るかつらの取り付けを説明するための説明図（その５）である。
【発明を実施するための形態】
【００１４】
以下、本発明の実施の形態に係るかつらについて、図面を参照しながら説明する。
図１は、本発明の一実施の形態に係るかつら１（頭部への装着前）を示す平面図である。
【００１５】
図１に示すかつら１は、図示しない人工毛髪又は人毛（以下、これらを「毛髪」と記す。）が植毛されるかつらベース１０と、このかつらベース１０の周縁１１に配置された形状保持性の線状部材２０と、を備える。
【００１６】
かつらベース１０は、例えば網状に形成されている。かつらベース１０の周縁１１は、例えば、１回以上底面側に折り返されてその折り返し部分をミシン等で縫着されることにより２重以上に形成されている。
【００１７】
なお、かつらベース１０は、必ずしも周縁１１が２重以上に形成されている必要はない。また、かつらベース１０は、毛髪が植毛されるものであれば、形状、材料などは特に限定されない。例えば、かつらベース１０は、分け目部若しくは生え際などの一部又は全部が人工皮膚からなるものでもよい。
【００１８】
線状部材２０は、例えば、金属、プラスチックなどの塑性変形可能な材料からなる。本実施の形態では、かつら１は、線状部材２０を１本のみ備える。線状部材２０は、かつらベース１０の周縁１１に沿って、前頭部を除いた部分、即ち、左右の側頭部及び後頭部に亘って配置されている。
【００１９】
線状部材２０は、かつらベース１０の周縁１１からループ状に突出する凸部２１を有する。本実施の形態では、線状部材２０は、互いに間隔を隔てて位置する５つ（複数）の凸部２１を有する。なお、それぞれ１つ以上の凸部２１を有する２つ以上の線状部材２０をかつら１が備えるようにしてもよい。
【００２０】
凸部２１は、かつらベース１０の周縁１１から人の頭皮（頭部表面）に沿った方向に略矩形又は略台形のループ状に突出している。なお、凸部２１を台形のループ状にする場合、かつらベース１０の周縁側が幅広で、突出した先端が幅狭とするのがより望ましい。
【００２１】
かつらベース１０の周縁１１に沿った凸部２１の幅（Ｌ１）は、かつらベース１０の周縁１１からの凸部２１の突出長さ（Ｌ２）よりも長い。本実施の形態の凸部２１の幅（Ｌ１）は３０ｍｍであり、凸部２１の突出長さ（Ｌ２）は３ｍｍであるが、これらの大きさは特に限定されず、幅（Ｌ１）が突出長さ（Ｌ２）よりも長いことが望ましくはあるが、大小関係を逆としてもよい。
【００２２】
線状部材２０のうち凸部２１以外の部分は、かつらベース１０の周縁１１に縫着される凹部２２（図１では周縁１１の裏側（底面側）又は内部に位置するため点線で図示）である。なお、かつらベース１０の周縁１１とは、かつらベース１０の外周端部のみならず、外周端部から例えば３ｃｍ以内の領域をいうものとする。
【００２３】
図２は、本実施の形態に係るかつら１の毛束ユニット３０を示す斜視図である。
図２に示す毛束ユニット３０は、毛束３１と、この毛束３１が固定されるシート状のベース部３２と、を有する。ベース部３２は、長手方向の中央で折り返され、折り返された両方に毛束３１が固定されている。
【００２４】
毛束ユニット３０は、線状部材２０の凸部２１、及び、この凸部２１のループ内から引き出された自毛、の少なくとも一方に固定される。詳しくは後述するが、本実施の形態では、毛束ユニット３０は、線状部材２０の凸部２１と、この凸部２１のループ内から引き出された自毛との両方に、ベース部３２において固定される。
【００２５】
毛束３１は、複数本の毛髪がベース部３２の長手方向に並んで配置され且つベース部３２の長手方向と直交する方向に延びるように、ベース部３２の折り返し後の外側の面に固定されている。
【００２６】
ベース部３２は、例えばポリウレタンのシートからなり、細長い矩形のリボン状（帯状）を呈する。
図３は、本実施の形態に係るかつら１の取り付けに用いられる自毛引き出し用スティック１００を示す斜視図である。
【００２７】
図３に示す自毛引き出し用スティック１００は、略円柱状の把持部１０１と、この把持部１０１が設けられた基端部１０２と、この基端部１０２の先端で屈曲した屈曲部１０３と、この屈曲部１０３の先端で屈曲する、自毛を引き出すための直線部１０４と、この直線部１０４の先端に設けられたカギ部１０５と、を備える。基端部１０２、屈曲部１０３、直線部１０４及びカギ部１０５は、例えば、金属材料から一体に形成されている。
【００２８】
直線部１０４は、線状部材２０の凸部２１のループに挿抜されるため、線状部材２０に平行か或いはそれに近い傾きで挿抜される場合には、凸部２１の上記幅（Ｌ１）よりも小さいか或いは同程度の長さとするとよい。
【００２９】
なお、自毛引き出し用スティック１００の形状は好ましい一例であって、自毛を引き出すことができるものであれば代用可能である。また、自毛を作業者がつまむ手法を採用する場合には、自毛引き出し用スティック１００を省略することも可能である。
【００３０】
図４Ａ〜図４Ｅは、本実施の形態に係るかつら１の取り付けを説明するための説明図である。
まず、図１に示すかつら１を装着者の頭部に載せる。
【００３１】
そして、図４Ａに示す装着者の自毛２０１を、図４Ｂに示すように自毛引き出し用スティック１００の直線部１０４によりすくい上げる。具体的には、凸部２１のループ内に自毛引き出し用スティック１００の直線部１０４を外側から挿入して、自毛２０１を直線部１０４によりすくい上げる。
【００３２】
これにより、図４Ｃに示すように、自毛２０１は、凸部２１のループの内側から外側に引き出される。
次に、図４Ｃに示す引き出された自毛２０１、及び、この自毛２０１の内側に位置する自毛（引き出されていない自毛）２０２を、図４Ｄに示すように、毛束ユニット３０のベース部３２の折り返し部分の両側で挟み込む。なお、図４Ｄでは、毛束ユニット３０をベース部３２のみ図示し、毛束３１の図示は省略している。
【００３３】
そして、ベース部３２の折り返し部分の両側で、例えば、両面テープ、接着剤、或いは、エネルギー硬化性樹脂により、凸部２１及び自毛２０１，２０２を挟み込むように固定することにより、図４Ｅに示すように、かつら１が凸部２１において自毛２０１，２０２に固定される。
【００３４】
なお、ベース部３２が凸部２１及び引き出された自毛２０１のみを挟み込むように配置され、ベース部３２が引き出されていない自毛２０２を挟み込まない構成としてもよいが、引き出されていない自毛２０２をもベース部３２により挟み込むことで、より強固にかつら１を固定することができる。
【００３５】
また、本実施の形態では、ベース部３２が、凸部２１及び自毛２０１，２０２を挟み込むが、凸部２１よりも引き出された自毛２０１の先端側で自毛２０１，２０２のみを挟み込むようにしてもよい。
【００３６】
上述の作業を、例えば、装着者の左右の側頭部側の凸部２１から後頭部側の凸部２１へ順に行うことにより、かつら１が装着者の頭部に強固に固定される。なお、かつら１を装着者の頭部から取り外す場合には、溶剤で固定部分を溶かすなどすればよい。
【００３７】
以上説明した本実施の形態では、かつらベース１０の周縁１１に配置された形状保持性の線状部材２０は、周縁１１からループ状に突出する凸部２１を有する。そのため、凸部２１の形状は一定となり、凸部２１のループの大きさが意図せずにばらつくのが抑えられる。これにより、例えば凸部２１のループ内から自毛２０１を引き出す場合には、引き出す自毛２０１の量が一定となり、凸部２１ごと或いは施術者ごとに装着具合に差が出るのを防止することができる。また、凸部２１の形状を維持するために凸部２１を作業者の指などで押さえたまま、例えは、凸部２１のループ内からの自毛２０１の引き出しや凸部２１への毛束ユニット３０の固定などを行う必要がなくなる。
【００３８】
よって、本実施の形態によれば、かつら１の取り付け作業性を向上させることができる。
また、本実施の形態では、凸部２１は、周縁１１から人の頭皮に沿った方向にループ状に突出する。そのため、凸部２１がかさ張るのを防ぐことができる。
【００３９】
また、本実施の形態では、凸部２１は、周縁１１から略矩形又は略台形のループ状に突出する。そのため、自毛２０１の引き出しが容易となり、より一層、かつら１の取り付け作業性を向上させることができる。
【００４０】
また、本実施の形態では、かつらベース１０の周縁１１に沿った凸部２１の幅（Ｌ１）は、かつらベース１０の周縁１１からの凸部２１の突出長さ（Ｌ２）よりも長い。そのため、凸部２１を目立たせずに、かつら１の取り付け作業性を向上させることができる。
【００４１】
また、本実施の形態では、線状部材２０は、互いに間隔を隔てて位置する複数の凸部２１を有する。そのため、単一の凸部２１を備える線状部材２０を複数本配置する場合に比較して、線状部材２０が回転するのを防ぐことができると共に部品点数を減らすことができる。したがって、より一層、かつら１の取り付け作業性を向上させることができる。
【００４２】
また、本実施の形態では、毛束ユニット３０は、線状部材２０の凸部２１及びこの凸部２１のループ内から引き出された自毛２０１のうち少なくとも一方（本実施の形態では両方）に固定される。そのため、毛束ユニット３０によりかつら１の外観を自然にすることができる。
【００４３】
また、本実施の形態では、毛束ユニット３０は、毛束３１と、この毛束３１が固定されるシート状のベース部３２と、を有する。また、ベース部３２は、凸部２１のループ内から引き出された自毛２０１及び引き出されていない自毛２０２を挟み込むように配置される。そのため、シート状のベース部３２によって、毛束ユニット３０を目立たなくすることができると共に、かつら１を自毛２０１，２０２に強固に固定することができる。
【００４４】
また、本実施の形態では、ベース部３２は、凸部２１及び自毛２０１，２０２を挟み込むように配置される。そのため、かつら１を自毛２０１，２０２により強固に固定することができる。
【００４５】
なお、ベース部３２が、引き出されていない自毛２０２を挟み込まず、凸部２１及び引き出された自毛２０１のみを挟み込むように配置することでも、かつら１を自毛２０１に強固に固定することができる。
【００４６】
また、本実施の形態では、かつら１に毛束ユニット３０を配置するが、毛束ユニット３０を省略して、例えば、自毛２０１，２０２を凸部２１に結び付けるか、或いは、自毛２０１，２０２と凸部２１とを接着その他の固着手段により固定してもよい。
【００４７】
また、本実施の形態では、線状部材２０の凸部２１は、かつらベース１０の周縁１１から略矩形又は略台形のループ状に突出するが、円形その他のループ状に突出するようにしてもよい。
【符号の説明】
【００４８】
１      かつら
１０      かつらベース
１１      周縁
２０      線状部材
２１      凸部
２２      凹部
３０      毛束ユニット
３１      毛束
３２      ベース部
１００      自毛引き出し用スティック
１０１      把持部
１０２      基端部
１０３      屈曲部
１０４      直線部
１０５      カギ部
２０１，２０２      自毛
【図１】
0005587676.tif 000002
【図２】
0005587676.tif 000003
【図３】
0005587676.tif 000004
【図４Ａ】
0005587676.tif 000005
【図４Ｂ】
0005587676.tif 000006
【図４Ｃ】
0005587676.tif 000007
【図４Ｄ】
0005587676.tif 000008
【図４Ｅ】
0005587676.tif 000009